(57)【要約】      （修正有）【課題】貯湯ユニットの加熱殺菌時に、発電システムの駆動禁止時間を考慮した発電システムを提供する。【解決手段】発電により電力を供給する発電ユニット２と、発電ユニットで発生した熱を蓄える貯湯ユニット３と、発電ユニットの駆動及び停止を制御する制御装置４と、貯湯ユニット内の湯を利用する利用者の在宅を検知する在宅検知器５と、を備えた発電システム１において、制御装置は、在宅検知器が利用者の在宅を検知した時点から発電ユニットの駆動が禁止されている禁止時間帯の開始時までの時間が発電ユニットから供給される熱で貯湯ユニット内の水の殺菌するために必要な加熱時間以上であるときは、発電ユニットを駆動させることで貯湯ユニット内の湯を加熱する発電システム。【選択図】図１
2013217587.tif 000002
【特許請求の範囲】
【請求項１】
発電により電力を供給する発電ユニットと、
前記発電ユニットで発生した熱を蓄える貯湯ユニットと、
前記発電ユニットの駆動及び停止を制御する制御装置と、
前記貯湯ユニット内の湯を利用する利用者の在宅を検知する在宅検知器と、
を備えた発電システムにおいて、
前記制御装置は、
少なくとも前記発電ユニットの駆動が禁止されている禁止時間帯、及び、前記発電ユニットから供給される熱で前記貯湯ユニット内の水の殺菌するために必要な加熱時間を記憶する記憶部を備えており、
前記在宅検知器が利用者の在宅を検知した時点から前記禁止時間帯の開始時までの時間が前記加熱時間以上であるときは、前記発電ユニットを駆動させることで前記貯湯ユニット内の湯を加熱し、
前記在宅検知器が利用者の在宅を検知した時点から前記禁止時間帯の開始時までの時間が前記加熱時間未満であるときは、前記発電ユニットの停止状態を維持させる、
発電システム。
※発電ユニットが加熱器を備えているように記載しています。
【請求項２】
前記在宅検知器は、前記貯湯ユニット内の湯が所定時間内に一定量以上使用されたか否かで前記利用者の在宅を検知する、
請求項１記載の発電システム。
【請求項３】
前記貯湯ユニット内の湯の温度、及び、前記貯湯ユニットの周囲の温度、のうちの少なくとも一方を計測する温度計をさらに備え、
前記制御装置は、前記温度計によって計測された温度に応じて前記加熱時間の長さを変更する、
請求項１または２に記載の発電システム。
【請求項４】
前記発電ユニットは、ガスを燃焼することで前記貯湯ユニット内の湯を加熱するボイラーを備え、そのボイラーを用いて前記貯湯ユニット内の湯を加熱する、
請求項１から３のいずれか１項に記載の発電システム。
【請求項５】
前記発電ユニットは、燃料ガスと酸化剤ガスとを反応させて発電を行う燃料電池であり、
前記燃料電池は、前記燃料ガスと前記酸化剤ガスとを反応させて発電を行う燃料電池スタックを備え、
前記発電で生じた熱、及び、前記発電で生じた電力をヒータに供給することで発生する熱、のうちの少なくとも一方を用いて前記貯湯ユニット内の湯を加熱する、
請求項１から３のいずれか１項に記載の発電システム。
【発明の詳細な説明】
【技術分野】
【０００１】
本発明は、電力や熱などを供給する発電システムに関するものである。
【背景技術】
【０００２】
燃料電池コジェネレーションシステムに代表される発電システムは、貯湯タンクの水が使用されない場合、貯湯タンク内の水を加熱殺菌する必要がある。従来、この種の発電システムでは、バーナーなどを用いて貯湯タンクの水を加熱殺菌していた（例えば、特許文献１ご参照）。
【０００３】
図３は、特許文献１に記載されたバーナーによる加熱が可能な従来の発電システムの構成を模式的に示すブロック図である。特許文献１の発電システムは、貯湯槽２と、貯湯用循環路１８を通して貯湯槽２の湯水を循環させる湯水循環手段１９と、貯湯用循環路１８を通流する湯水を加熱する加熱手段Ｈと、運転制御手段５とが設けられ、運転制御手段５が、時系列的な給水量データ、時系列的な湯水循環量データ、及び、貯湯槽２の容量データに基づいて、湯水が給水路１６を通して供給されてから加熱手段Ｈにて加熱されることなく貯湯槽２に貯留される非加熱貯留時間が設定非加熱許容時間以上となる湯水、及び、湯水が加熱手段Ｈにて加熱されてから加熱手段Ｈにて再加熱されることなく貯湯槽２に貯留される非再加熱貯留時間が設定非加熱許容時間以上となる湯水の少なくとも一方が存在すると判別すると、水質向上処理を実行する技術が開示されている。
【先行技術文献】
【特許文献】
【０００４】
【特許文献１】特開２００２−９３４４６号公報
【発明の概要】
【発明が解決しようとする課題】
【０００５】
しかしながら、前記従来の構成では、発電ユニットの駆動が禁止されている禁止時間帯が考慮されておらず、発電ユニットの駆動が禁止されている禁止時間帯前に加熱殺菌を完了しなければ、発電ユニットの駆動が禁止されている禁止時間帯が終了した後に、再度加熱殺菌の処理を行わなければならないため、一度加熱したエネルギーが放熱により無駄になるという課題を有していた。
【０００６】
本発明は、前記従来のような課題を考慮し、在宅を検知した時点から禁止時間帯の開始時までの時間が加熱時間以上ある時は、貯湯ユニット内の水もしくは湯の加熱を行い、在宅を検知した時点から禁止時間帯の開始時までの時間が加熱時間未満である時は、前記発電ユニットの停止状態を維持させる発電システムを提供する事を目的とする。
【課題を解決するための手段】
【０００７】
前記従来の課題を解決するために、本発明の発電システムは、発電により電力を供給する発電ユニットと、前記発電ユニットで発生した熱を蓄える貯湯ユニットと、前記発電ユニットの駆動及び停止を制御する制御装置と、前記貯湯ユニット内の湯を利用する利用者の在宅を検知する在宅検知器と、を備えた発電システムにおいて、前記制御装置は、少なくとも前記発電ユニットの駆動が禁止されている禁止時間帯、及び、前記発電ユニットから供給される熱で前記貯湯ユニット内の水の殺菌するために必要な加熱時間を記憶する記憶部を備えている。そして、前記発電システムは、特に、前記在宅検知器が利用者の在宅を検知した時点から前記禁止時間帯の開始時までの時間が前記加熱時間以上であるときは、前記発電ユニットを駆動させることで前記貯湯ユニット内の湯を加熱し、前記在宅検知
器が利用者の在宅を検知した時点から前記禁止時間帯の開始時までの時間が前記加熱時間未満であるときは、前記発電ユニットの停止状態を維持させる。
【０００８】
これによって、貯湯ユニット内の水を殺菌するために加熱するエネルギーを無駄にすることなく、貯湯ユニット内の水を殺菌することができる。
【発明の効果】
【０００９】
本発明によれば、発電システムにおいて、発電ユニットの駆動が禁止されている禁止時間帯と貯湯ユニット内の水の殺菌するために必要な加熱時間から発電ユニットの駆動が禁止されている禁止時間帯までに貯湯ユニット内の水を殺菌するために加熱が終了するかどうかを判断する事で、発電ユニットの駆動が禁止されている禁止時間帯までに加熱処理が終了しない場合、一度加熱したエネルギーが放熱により無駄になる加熱処理を行わない事が可能となる。
【図面の簡単な説明】
【００１０】
【図１】本発明の実施の形態１における発電システムの構成を模式的に示す例を示したブロック図
【図２】本発明の実施の形態１における発電システムの貯湯ユニット内の水を殺菌する制御を示すフローチャート
【図３】従来の発電システムの構成を模式的に示す例を示したブロック図
【発明を実施するための形態】
【００１１】
第１の発明は、前記従来の課題を解決するために、発電により電力を供給する発電ユニットと、前記発電ユニットで発生した熱を蓄える貯湯ユニットと、前記発電ユニットの駆動及び停止を制御する制御装置と、前記貯湯ユニット内の湯を利用する利用者の在宅を検知する在宅検知器と、を備えた発電システムである。そして、特に、前記制御装置は、少なくとも前記発電ユニットの駆動が禁止されている禁止時間帯、及び、前記発電ユニットから供給される熱で前記貯湯ユニット内の水の殺菌するために必要な加熱時間を記憶する記憶部を備えており、前記在宅検知器が利用者の在宅を検知した時点から前記禁止時間帯の開始時までの時間が前記加熱時間以上であるときは、前記発電ユニットを駆動させることで前記貯湯ユニット内の湯を加熱し、前記在宅検知器が利用者の在宅を検知した時点から前記禁止時間帯の開始時までの時間が前記加熱時間未満であるときは、前記発電ユニットの停止状態を維持させる、発電システムである。この構成により、貯湯ユニット内の水を殺菌するために加熱するエネルギーを無駄にすることなく、貯湯ユニット内の水を殺菌することができる。
【００１２】
第２の発明は、特に、第１の発明において、前記在宅検知器は、前記貯湯ユニット内の湯が所定時間内に一定量以上使用されたか否かで前記利用者の在宅を検知する発電システムである。この構成により、利用者がお湯又は水を使用していることで、在宅しているかどうかを判断することができる。
【００１３】
第３の発明は、特に、第１または第２の発明において、前記貯湯ユニット内の湯の温度、及び、前記貯湯ユニットの周囲の温度（外気温ｏｒ地下室の温度）、のうちの少なくとも一方を計測する温度計をさらに備え、前記制御装置は、前記温度計によって計測された温度に応じて前記加熱時間の長さを変更する、発電システムである。この構成により、季節の変動や天候、加熱する貯湯ユニットの湯の状況を考慮するため、精度の高い加熱時間を計算することができ、加熱するかしないかの判断について確度の高い判断を行なう事ができる。
【００１４】
第４の発明は、特に、第１〜３のいずれか１つの発明において、前記発電ユニットは、
ガスを燃焼することで前記貯湯ユニット内の湯を加熱する（バックアップ）ボイラーを備え、そのボイラーを用いて前記貯湯ユニット内の湯を加熱する、発電システムである。この構成により、ボイラーを用いて貯湯ユニット内の水を殺菌することができる。
【００１５】
第５の発明は、特に、第１〜３のいずれか１つの発明において、前記発電ユニットは、燃料ガスと酸化剤ガスとを反応させて発電を行う燃料電池であり、前記燃料電池は、前記燃料ガスと前記酸化剤ガスとを反応させて発電を行う燃料電池スタックを備え、前記発電で生じた熱、及び、前記発電で生じた電力をヒータに供給することで発生する熱、のうちの少なくとも一方を用いて前記貯湯ユニット内の湯を加熱する、発電システムである。この構成により、発電ユニットを発電させることで、貯湯ユニット内の水を殺菌することができる。
【００１６】
以下、本発明の実施の形態について、図面を参照しながら説明する。なお、この実施の形態によって本発明が限定されるものではない。
【００１７】
（実施の形態１）
図１は本発明の第１の実施の形態における発電システムの構成を模式的に示すブロック図である。図１において、本実施の形態１に係る発電システム１は、発電により電力を供給する発電ユニット２と、前記発電ユニットで発生した熱を蓄える貯湯ユニット３と、前記発電ユニットの駆動及び停止を制御する制御装置４と、前記貯湯ユニット内の湯を利用する利用者の在宅を検知する在宅検知器５と、を有する。前記制御装置４は、少なくとも前記発電ユニット２の駆動が禁止されている禁止時間帯、及び、前記発電ユニットから供給される熱で前記貯湯ユニット内の水の殺菌するために必要な加熱時間を記憶する記憶部６を有する。さらに前記貯湯ユニット内の湯の温度、及び、前記貯湯ユニット３の周囲の温度、のうちの少なくとも一方を計測する温度計７を有している。そして、温度計７の温度により、加熱時間（＝貯湯ユニット３内の水の殺菌を行う時間）の長さを演算する。前記在宅検知器５が利用者の在宅を検知した時点から前記禁止時間帯の開始時までの時間が前記加熱時間以上であるときは、前記発電ユニット２の燃料電池スタック９、ヒータ１０、あるいは、ボイラー８のいずれか、あるいは複数を駆動させることで前記貯湯ユニット３内の湯を加熱し、前記在宅検知器５が利用者の在宅を検知した時点から前記禁止時間帯の開始時までの時間が前記加熱時間未満であるときは、前記発電ユニット２の停止状態を維持させる前記制御装置４を有する。
【００１８】
以上のように構成された燃料電池コジェネレーションシステムの動作、作用について、図２を参照しながら説明する。図２は、本発明の実施の形態１における燃料電池コジェネレーションシステムの運転制御を示すフローチャートである。
【００１９】
発電システム１は、貯湯ユニット３内の水を殺菌する必要があるかどうかを判断する（Ｓ１０１）。Ｓ１０１において、貯湯ユニット３内の水を殺菌する必要があると判断した場合は、在宅検知器５により、利用者が在宅かどうかを判断する。在宅検知器５は、宅内の水もしくはお湯の使用量から、あらかじめ規定された時間内に規定された量以上の水（もしくはお湯）が使用された場合、利用者が在宅と判断する。なお、外部センサ（例えば、赤外線センサ）からの信号を受信して在宅を判定する構成としても良い。
【００２０】
利用者が在宅と判断した場合、前記在宅検知器が利用者の在宅を検知した時刻があらかじめ設定されている発電ユニット２の駆動が禁止されている時間内かどうかを判断する（Ｓ１０３）。
【００２１】
Ｓ１０３において、前記在宅検知器が利用者の在宅を検知した時刻が発電ユニット２の駆動が禁止されている時間外であれば、前記貯湯ユニット内の湯の温度、及び、貯湯ユニ
ット３の周囲の温度、のうちの少なくとも一方を温度計７で計測するステップに移る（Ｓ１０４）。Ｓ１０３において、前記在宅検知器が利用者の在宅を検知した時刻が発電ユニット２の駆動が禁止されている時間内であれば、殺菌プロセスを一時休止させ、待機するステップに移る（Ｓ１０６）。
【００２２】
Ｓ１０４では、計測された温度により貯湯ユニット３内の水を加熱殺菌するのに必要な加熱時間を算出する。なお、加熱時間は、温度計７により計測された温度に基づき記憶部６に既に記録されている加熱時間から選択しても良い。また、加熱時間は、記憶部６に既に記録されている加熱時間から温度計７により計測された温度に基づき、加熱時間を算出しても良い。また、温度計７は、貯湯ユニット内の水（もしくはお湯）の温度を計測しても良い。また、貯湯ユニット３の周囲の温度を計測する温度計７は、貯湯ユニット内の温度を計測しても良い。また、貯湯ユニット３が地下室、あるいは室内に設置されている場合は、温度計７は地下室の温度、あるいは室内の温度を計測しても良い。
【００２３】
そして、前記在宅検知器が利用者の在宅を検知した時刻から発電ユニットの駆動が禁止されている禁止時間の開始までの時間が算出された前記加熱時間より大きいか否かを判断する（Ｓ１０５）。Ｓ１０５において、前記在宅検知器が利用者の在宅を検知した時刻から発電ユニットの駆動が禁止されている禁止時間の開始までの時間が算出された前記加熱時間より大きければ貯湯ユニット内の水を殺菌する（Ｓ１１０）。なお、計測された温度により、発電ユニット２の燃料電池スタック９、ヒータ１０、あるいは、ボイラー８のいずれか、あるいは複数で加熱しても良い。Ｓ１０５において、前記在宅検知器が利用者の在宅を検知した時刻から発電ユニットの駆動が禁止されている禁止時間の開始までの時間が算出された前記加熱時間以下であれば、殺菌プロセスを一時休止させ、待機するステップに移る（Ｓ１０６）。
【００２４】
Ｓ１０６における一時待機の後、現在時刻があらかじめ設定されている発電ユニット２の駆動が禁止されている時間内かどうかを判断する（Ｓ１０７）。現在時刻が発電ユニット２の駆動が禁止されている時間外であれば、前記貯湯ユニット内の湯の温度、及び、貯湯ユニット３の周囲の温度、のうちの少なくとも一方を温度計７で計測し、計測された温度により貯湯ユニット３内の水を加熱殺菌するのに必要な加熱時間を算出する（Ｓ１０８）。現在時刻から発電ユニットの駆動が禁止されている禁止時間の開始までの時間が算出された前記加熱時間内か判断する（Ｓ１０９）。現在時刻から発電ユニットの駆動が禁止されている禁止時間の開始までの時間が算出された前記加熱時間内であれば、貯湯ユニット内の水を殺菌する（Ｓ１１０）。
【００２５】
なお、本発明の実施の形態１では、ボイラーは発電ユニット内にある態様について説明したが、これに限定されない。例えば、ボイラー８は、燃料電池ユニット１１と一体に構成する必要はなく、貯湯ユニット３に隣接して配置される構成であっても良い。また、利用者の在宅は、宅内の水もしくはお湯の使用量から判断を行なったが、リモコンのスイッチの入で判断しても良い。
【００２６】
以上のように、本実施の形態においては、発電システム１の貯湯ユニット３内の水の殺菌するため、加熱時間と発電ユニット２の駆動が禁止されている禁止時間帯から、発電ユニット２の駆動が禁止されている禁止時間帯までに発電システム１の貯湯ユニット３内の水の殺菌が完了できるかどうかを判断する事により、貯湯ユニット内の水を殺菌するために加熱するエネルギーを無駄にすることなく、貯湯ユニット内の水を殺菌することができる。さらに、貯湯ユニット内の湯の温度、及び、貯湯ユニット３の周囲の温度、のうちの少なくとも一方を温度計７で計測した値を考慮して加熱時間を計算することで、夏場など水温の高い時には加熱時間を短く設定し、また、冬場など水温の低い時には加熱時間を長く設定でき、貯湯ユニット３の水温や季節や気温を考慮しない時と比較し、より確度の高
い加熱時間を設定できる為、加熱するかしないかの判断の精度を高める事ができる。
【産業上の利用可能性】
【００２７】
本発明の本発明の発電システムによれば、発電ユニットの駆動が禁止されている禁止時間帯までに発電システムの貯湯ユニット内の水の殺菌が完了できるかどうかを判断する事で、貯湯ユニット内の水を殺菌するために加熱するエネルギーを無駄にすることなく、貯湯ユニット内の水を殺菌することができ、発電ユニットの駆動が禁止されている禁止時間帯を有する発電システムなどにおいて、有用である。
【符号の説明】
【００２８】
１  発電システム
２  発電ユニット
３  貯湯ユニット
４  制御装置
５  在宅検知器
６  記憶部
７  温度計
８  ボイラー
９  燃料電池スタック
１０  ヒータ
１１  燃料電池ユニット
【図１】
2013217587.tif 000003
【図２】
2013217587.tif 000004
【図３】
2013217587.tif 000005